(57)【要約】【課題】  圧電ファンと熱交換器とを組み合わせることにより、吹出風速が均一で送風音の小さい熱交換器モジュール、空気調和機用室外機および空気調和機用室内機を得る。【解決手段】  一対の圧電体２，２と該圧電体２，２の間に挟持されて往復振動する薄板形状のブレード３とからなる圧電ファン１と、該圧電ファン１の空気吹出側に配置された熱交換器４とからなる熱交ユニットＵを複数個連結して熱交換器モジュールを構成して、圧電ファン１を構成するブレード３から吹き出される空気流Ｗが、回転成分を有しないほぼ直線的な流れとなって、均一な通過風速で熱交換器４を通過するようにしている。【選択図】        図２
2005024229.tif 000002
【特許請求の範囲】
【請求項１】
一対の圧電体（２），（２）と該圧電体（２），（２）の間に挟持されて往復振動する薄板形状のブレード（３）とからなる圧電ファン（１）と、該圧電ファン（１）の空気吹出側に配置された熱交換器（４）とからなる熱交ユニット（Ｕ）を複数個連結したことを特徴とする熱交換器モジュール。
【請求項２】
前記熱交換器（４）を、前記圧電ファン（１）からの吹出空気に沿うように配設された内部に冷媒通路（７）を有する熱良導体からなる一対のプレート（６），（６）と該プレート（６），（６）間に架設された熱良導体からなる多数の放熱フィン（８），（８）・・とによって構成したことを特徴とする前記請求項１記載の熱交換器モジュール。
【請求項３】
前記各放熱フィン（８）内に冷媒通路（９）を形成したことを特徴とする前記請求項２記載の熱交換器モジュール。
【請求項４】
前記放熱フィン（８），（８）・・を水平に対して所定角度傾斜させたことを特徴とする前記請求項２および３のいずれか一項記載の熱交換器モジュール。
【請求項５】
前記熱交換器（４）を、前記圧電ファン（１）からの吹出空気（Ｗ）に沿うように配設された内部に冷媒通路（７）を有する熱良導体からなる一対のプレート（６），（６）と該プレート（６），（６）間にあって該プレート（６），（６）と平行に配設された熱良導体からなる多数の放熱フィン（１０），（１０）・・とによって構成するとともに、該各放熱フィン（１０）内に冷媒通路（９）を形成したことを特徴とする前記請求項１記載の熱交換器モジュール。
【請求項６】
前記圧電ファン（１），（１）・・のうちの隣り合う圧電ファン（１），（１）におけるブレードの振動位相を１８０°ずらしたことを特徴とする前記請求項１、２、３、４および５のいずれか一項記載の熱交換器モジュール。
【請求項７】
前記請求項１、２、３、４、５および６のいずれか一項記載の熱交換器モジュール（Ｚ）を２個互いに反対向きに結合したことを特徴とする熱交換器モジュール。
【請求項８】
前記請求項１、２、３、４、５、６および７のいずれか一項記載の熱交換器モジュール（Ｚ）を内蔵したことを特徴とする空気調和機用室外機。
【請求項９】
前記請求項１、２、３、４、５、６および７のいずれか一項記載の熱交換器モジュール（Ｚ）を内蔵したことを特徴とする空気調和機用室内機。
【請求項１０】
輻射パネル（２９）の隙間（Ｓ），（Ｓ）・・に、一対の圧電体（２），（２）と該圧電体（２），（２）の間に挟持されて往復振動する薄板形状のブレード（３）とからなる圧電ファン（１）を配設したことを特徴とする空気調和機用室内機。
【請求項１１】
本体ケーシング３２内の空気通路に複数台の圧電ファン（１），（１）・・・を並設するとともに、該複数台の圧電ファン（１），（１）・・・に対応して熱交換器３４を設けたことを特徴とする空気調和機用室内機。
【請求項１２】
前記複数台の圧電ファン（１），（１）・・・は、ブレード（３）の振動方向に沿って並設されていることを特徴とする請求項１１記載の空気調和機用室内機。
【請求項１３】
前記複数台の圧電ファン（１），（１）・・・は、ブレード（３）の振動方向に沿って複数列並設されていることを特徴とする請求項１１記載の空気調和機用室内機。
【請求項１４】
前記複数台の圧電ファン（１），（１）・・・は、それらの内の相互に隣合う圧電ファン（１），（１）の駆動位相が相互に逆の関係で駆動されるようになっていることを特徴とする前記請求項１１および１２の何れか１項記載の空気調和機用室内機。
【請求項１５】
前記室内機が壁掛け型のものよりなり、本体ケーシング（３２）は、その正面側と天面側に空気吸込用の開口（３２ａ），（３２ａ）を有し、熱交換器（３４）は、これらの各開口（３２ａ），（３２ａ）に対応した鉤形の構造に形成されていることを特徴とする請求項１１，１２および１３の何れか１項記載の空気調和機用室内機。
【請求項１６】
前記室内機が壁掛け型のものよりなり、本体ケーシング（３２）は、その正面側と両側面側に空気吸込用の開口（３２ａ），（３２ａ），（３２ａ）を有し、熱交換器（３４）は、これらの各開口（３２ａ），（３２ａ），（３２ａ）に対応した平面コの字形の構造に形成されていることを特徴とする請求項１１，１２および１３の何れか１項記載の空気調和機用室内機。
【請求項１７】
前記室内機が壁掛け型のものよりなり、本体ケーシング（３２）は、その正面側と天面側に空気吸込用の開口（３２ａ），（３２ａ）を有し、熱交換器（３４）は、これらの各開口（３２ａ），（３２ａ）に対応し、かつ圧電ファン（１），（１）・・・の背面にも対応した側面逆Ｕ字形の構造に形成されていることを特徴とする請求項１１，１２および１３の何れか１項記載の空気調和機用室内機。
【請求項１８】
前記室内機が壁掛け型のものよりなり、本体ケーシング（３２）は、その正面側に空気吸込用の開口（３２ａ）を有し、熱交換器（３４）は、同開口（３２ａ）に対応した平面形の構造に形成されていることを特徴とする請求項１１，１２および１３の何れか１項記載の空気調和機用室内機。
【請求項１９】
前記複数台の圧電ファン（１），（１）・・・のブレード（３），３・・・の先端部付近には、送風可能な状態で、該ブレード（３），３・・・の空気吸込部側領域と空気吹出部側領域とを仕切る仕切板３５が設けられていることを特徴とする請求項１１，１２，１３，１４，１５，１６，１７および１８の何れか１項記載の空気調和機用室内機。
【請求項２０】
前記複数台の圧電ファン（１），（１）・・・の間には、干渉音低減用の仕切板（３６），（３６）・・・が設けられていることを特徴とする請求項１１，１２，１３，１４，１５，１６，１７，１８および１９の何れか１項記載の空気調和機用室内機。
【請求項２１】
本体ケーシング（３２）内の空気通路に圧電ファン（１）を設けるとともに、該圧電ファン（１）に対応して熱交換器（３４）を設けたことを特徴とする空気調和機用室内機。
【請求項２２】
圧電ファン（１）が複数台であり、空気流の上流から下流方向に並設されていることを特徴とする請求項２１記載の空気調和機用室内機。
【請求項２３】
本体ケーシング（４０）内の空気通路に圧電ファン（１）を設けるとともに、該圧電ファン（１）に対応して熱交換器（４４）を設けたことを特徴とする空気調和機用室外機。
【請求項２４】
圧電ファン（１）が複数台であり、ブレード（３）の振動方向に沿って並設されていることを特徴とする請求項２３記載の空気調和機用室外機。
【請求項２５】
圧電ファン（１）が複数台であり、空気流の上流から下流方向に並設されていることを特徴とする請求項２３記載の空気調和機用室外機。
【請求項２６】
前記複数台の圧電ファン（１），（１）・・・は、それらの内の相互に隣合う圧電ファン（１），（１）の駆動位相が相互に逆の関係で駆動されるようになっていることを特徴とする前記請求項２４および２５の何れか１項記載の空気調和機用室外機。
【請求項２７】
前記室外機の本体ケーシング（４０）は、その正面側と側面側に空気吸込口（ａ），（ｂ）を有し、熱交換器（４４）は、これらの各空気吸込口（ａ），（ｂ）に対応した鉤形の構造に形成されていることを特徴とする請求項２３，２４，２５および２６の何れか１項記載の空気調和機用室外機。
【請求項２８】
本体ケーシング（３２）内の空気通路に弾性振動板を備えた往復動型のファン（１）を設けるとともに、該往復動型のファン（１）に対応して熱交換器（３４）を設けたことを特徴とする空気調和機用室内機。
【請求項２９】
本体ケーシング（４０）内の空気通路に弾性振動板を備えた往復動型のファン（１）を設けるとともに、該往復動型のファン（１）に対応して熱交換器（４４）を設けたことを特徴とする空気調和機用室外機。
【発明の詳細な説明】
【技術分野】
【０００１】
本願発明は、圧電ファンを用いた熱交換器モジュール、空気調和機用室外機および空気調和機用室内機に関するものである。
【背景技術】
【０００２】
従来からよく知られているプロペラファンを使用した空気調和機用室外機の場合、図４３（イ）に示すように、プロペラファンＦ1の吹出気流特性により、吹出気流分布Ａｆが偏り、最大風速が高くなるため、送風音が高くなってしまう。また、図４３（ロ）に示すように、プロペラファンＦ1の吸込特性により、熱交換器Ｈ1の通過風速が不均一となり（例えば、斜線部が速く、その他の部分が遅くなり）、熱交換器Ｈ1が有効に使われず、性能が十分に発揮されないこととなる。これを補うために、熱交換器Ｈ1を大きくしているのが現状であり、室外機が大きくなっていた。
【０００３】
一方、クロスフローファンを使用している空気調和機用室内機では、図４４に示すように、上記した室外機の場合と同様に、クロスフローファンＦ2の吸込特性により、熱交換器Ｈ2の通過風速が不均一となり、熱交換器Ｈ2が有効に使われず、性能が十分に発揮されないこととなる。これを補うために、熱交換器Ｈ2を大きくしているのが現状であり、室内機が大きくなっていた。また、クロスフローファンＦ2の特徴により、ファンロータから吹き出される気流Ａも風速分布が不均一となり、指定された風量を得るためには通過風速を高くする必要があり、結果として送風音が高くなってしまっていた。
【０００４】
上記のような不具合は、送風機として回転するタイプのものを使用しているかぎり、回避することは難しい。
【０００５】
ところで、回転しないファンとして、圧電ファンが注目されている（例えば、特許文献１参照）。
【０００６】
上記圧電ファンは、一対の圧電体と該圧電体の間に挟持されて往復振動する薄板形状のブレードとによって構成されており、前記圧電体に対してその共振周波数の正弦波を加えると、ブレードが団扇状に振動し、該ブレードにより押し出された空気が前方に飛び出して風を発生させることとなっている。
【０００７】
【特許文献１】特公平６−５６１６０号公報
【発明の開示】
【発明が解決しようとする課題】
【０００８】
ところが、上記した圧電ファンは、発熱部のみを局部的に冷却するためのファン等の応用例はあるものの、熱交換器と組み合わせたものについては、未だ有効なものが提案されていない。
【０００９】
本願発明は、上記の点に鑑みてなされたもので、圧電ファンと熱交換器とを組み合わせることにより、吹出風速が均一で送風音の小さい熱交換器モジュール、空気調和機用室外機および空気調和機用室内機を得ることを目的としている。
【課題を解決するための手段】
【００１０】
本願発明では、上記課題を解決するための第１の手段として、一対の圧電体２，２と該圧電体２，２の間に挟持されて往復振動する薄板形状のブレード３とからなる圧電ファン１と、該圧電ファン１の空気吹出側に配置された熱交換器４とからなる熱交ユニットＵを複数個連結して熱交換器モジュールを構成している。
【００１１】
上記のように構成したことにより、圧電ファン１を構成するブレード３から吹き出される空気流Ｗは、回転成分を有しないほぼ直線的な流れとなる。この直線的な流れの空気流Ｗは、均一な通過風速で熱交換器４を通過するので、熱交換器４が有効に使われる。従って、小さいサイズの熱交換器で従来のサイズ（即ち、回転式ファンを用いた場合）の熱交換器と同等の性能を発揮できることとなり、熱交換器モジュールＺのコンパクト化を図ることができる。また、熱交換器４を通過する過程において加熱あるいは冷却されて温調空気Ｗ′となった空気流は、熱交換器４の出口においてほぼ均一な風速分布で吹き出されることとなるところから、従来の回転式ファンを用いた場合のように吹出気流の最大風速を大きくする必要がなくなり、送風音を低く抑えることも可能となる。
【００１２】
本願発明では、さらに、上記課題を解決するための第２の手段として、上記第１の手段を備えた熱交換器モジュールにおいて、前記熱交換器４を、前記圧電ファン１からの吹出空気Ｗに沿うように配設された内部に冷媒通路７を有する熱良導体からなる一対のプレート６，６と該プレート６，６間に架設された熱良導体からなる多数の放熱フィン８，８・・とによって構成することもでき、そのように構成した場合、圧電ファン１から吹き出される空気流Ｗの通路を熱交換器４を構成するプレート６，６で構成することが可能となり、構成を簡略化できる。
【００１３】
本願発明では、さらに、上記課題を解決するための第３の手段として、上記第２の手段を備えた熱交換器モジュールにおいて、前記各放熱フィン８内に冷媒通路９を形成することもでき、そのように構成した場合、放熱フィン８にも熱交換機能が付与されることとなり、熱交換器４の性能が向上する。
【００１４】
本願発明では、さらに、上記課題を解決するための第４の手段として、上記第第２又は第３の手段を備えた熱交換器モジュールにおいて、前記放熱フィン８，８・・を水平に対して所定角度傾斜させることもでき、そのように構成した場合、熱交換器４を蒸発器として使用したときに熱交換器４の表面に生ずる凝縮水が放熱フィン８，８・・を伝って流下することとなり、凝縮水の排出が容易となる。
【００１５】
本願発明では、さらに、上記課題を解決するための第５の手段として、上記第１の手段を備えた熱交換器モジュールにおいて、前記熱交換器４を、前記圧電ファン１からの吹出空気Ｗに沿うように配設された内部に冷媒通路７を有する熱良導体からなる一対のプレート６，６と該プレート６，６間にあって該プレート６，６と平行に配設された熱良導体からなる多数の放熱フィン１０，１０・・とによって構成するとともに、該各放熱フィン１０内に冷媒通路９を形成することもでき、そのように構成した場合、圧電ファン１からの吹出空気流Ｗと接触するプレート６，６および放熱フィン１０，１０・・の両方が熱交換機能を有することとなり、熱交換器４の性能が向上するし、この熱交換器モジュールＺを放熱フィン１０，１０・・が鉛直方向となるような姿勢で蒸発器として使用したとき、熱交換器４の表面に生ずる凝縮水がプレート６および放熱フィン１０を伝って流下することとなり、凝縮水の排出が容易となる。
【００１６】
本願発明では、さらに、上記課題を解決するための第６の手段として、上記第１、第２、第３、第４又は第５の手段を備えた熱交換器モジュールにおいて、前記圧電ファン１，１・・のうちの隣り合う圧電ファン１，１におけるブレード３の振動位相を１８０°ずらすこともでき、そのように構成した場合、隣合うブレード３，３同士が同位相で振動することがなくなり、共鳴による音の上昇および振動増幅を防止することができる。
【００１７】
本願発明では、さらに、上記課題を解決するための第７の手段として、上記第１、第２、第３、第４又は第５の手段を備えた熱交換器モジュールＺを２個互いに反対向きに結合することもでき、そのように構成した場合、一方側のみの熱交換器モジュールＺにおける圧電ファン１を作動させると、必要に応じて温調空気Ｗ′の吹出方向を逆向きとすることが可能となる。
【００１８】
本願発明では、さらに、上記課題を解決するための第８の手段として、上記第１、第２、第３、第４、第５、第６又は第７の手段を備えた熱交換器モジュールＺを内蔵させて空気調和機用室外機を構成することもでき、そのように構成した場合、空気調和機用室外機のコンパクト化および低騒音化を図ることができる。
【００１９】
本願発明では、さらに、上記課題を解決するための第９の手段として、上記第１、第２、第３、第４、第５、第６又は第７の手段を備えた熱交換器モジュールＺを内蔵させて空気調和機用室内機を構成することもでき、そのように構成した場合、空気調和機用室内機のコンパクト化および低騒音化を図ることができる。
【００２０】
本願発明では、上記課題を解決するための第１０の手段として、輻射パネル２９の隙間Ｓ，Ｓ・・に、一対の圧電体２，２と該圧電体２，２の間に挟持されて往復振動する薄板形状のブレード３とからなる圧電ファン１を配設して空気調和機用室内機を構成している。
【００２１】
上記のように構成したことにより、圧電ファン１を構成するブレード３から吹き出される空気流Ｗは、輻射パネル２９の隙間Ｓ，Ｓ・・から微風となって吹き出されることとなり、輻射パネル２９の表面近傍の気流が少し速められる。その結果、輻射パネル２９による空気調和機能が向上することとなる。
【００２２】
本願発明では、上記課題を解決するための第１１の手段として、空気調和機用室内機の本体ケーシング３２内の空気通路に複数台の圧電ファン１，１・・・を並設するとともに、該複数台の圧電ファン１，１・・・に対応して熱交換器３４を設けて構成されている。
【００２３】
このように圧電ファン１を空気調和機用の送風ユニットとして採用し、該圧電ファン１を複数台並設することによって、そのトータルの送風能力を十分に増大させ、大型の熱交換器にも対応できるようにすると、薄くて、消費電力が小さく、静かで、低コストな空気調和機用室内機を実現することができる。
【００２４】
本願発明では、上記課題を解決するための第１２の手段として、前記第１１の手段における複数台の圧電ファン１，１・・・は、ブレード３の振動方向に沿って並設されている。
【００２５】
このような構成によると、室内機本体の厚さを可及的に薄くした状態で、可及的に多数の圧電ファン１，１・・・を設置することができ、室内機としての有効な送風量を実現することができる。
【００２６】
本願発明では、上記課題を解決するための第１３の手段として、前記第１１の手段における前記複数台の圧電ファン１，１・・・が、ブレード３の振動方向に沿って複数列並設されている。
【００２７】
このような構成によると、本体ケーシング３２内空気通路の空気吸込側から空気吹出方向に複数台の圧電ファン１，１、１，１・・・が直列に位置することになり、空気の吹出風速が大幅に向上し、吹出風量が増加する。しかも、本体部の厚さ自体は変わらない。
【００２８】
本願発明では、上記課題を解決するための第１４の手段として、前記第１１，１２又は１３の手段において、前記複数台の圧電ファン１，１・・・は、それらの内の相互に隣合う圧電ファン１，１の駆動位相が相互に逆の関係で駆動されるようになっている。
【００２９】
このような構成によると、複数台の圧電ファン１，１・・・の機械的な振動が相殺され、安定し、かつ低騒音での運転が可能になる。
【００３０】
本願発明では、上記課題を解決するための第１５の手段として、前記第１１，１２，１３又は１４の手段において、前記室内機が壁掛け型のものよりなり、本体ケーシング３２は、その正面側と天面側に空気吸込用の開口３２ａ，３２ａを有し、熱交換器３４は、これらの各開口３２ａ，３２ａに対応した鉤形の構造に形成されている。
【００３１】
このような構成によれば、本体ケーシング３２の正面側と天面側２面において、有効かつコンパクトに熱交換を行わせることができる。
【００３２】
本願発明では、上記課題を解決するための第１６の手段として、前記第１１，１２，１３又は１４の手段において、前記室内機が壁掛け型のものよりなり、本体ケーシング３２は、その正面側と両側面側に空気吸込用の開口３２ａ，３２ａ，３２ａを有し、熱交換器３４は、これらの各開口３２ａ，３２ａ，３２ａに対応した平面コの字形の構造に形成されている。
【００３３】
このような構成によれば、本体ケーシング３２の正面側からのみならず、左右両側からの空気吸込流をも利用して、広い面積で熱交換を行わせることができ、熱交換能力の向上が図られる。
【００３４】
本願発明では、上記課題を解決するための第１７の手段として、前記第１１，１２，１３又は１４の手段において、前記室内機が壁掛け型のものよりなり、本体ケーシング３２は、その正面側と天面側に空気吸込用の開口３２ａ，３２ａを有し、熱交換器３４は、これらの各開口３２ａ，３２ａに対応し、かつ圧電ファン１，１・・・の背面にも対応した側面逆Ｕ字形の構造に形成されている。
【００３５】
このような構成にすると、圧電ファン１，１・・・のブレード３，３・・・の幅方向両側からの有効な吸込力を利用して、きわめて広い面積で熱交換を行わせることができ、熱交換能力が大きく向上する。
【００３６】
本願発明では、上記課題を解決するための第１８の手段として、前記第１１，１２，１３又は１４の手段において、前記室内機が壁掛け型のものよりなり、本体ケーシング３２は、その正面側に空気吸込用の開口３２ａを有し、熱交換器３４は、同開口３２ａに対応した平面形の構造に形成されている。
【００３７】
このような構成によれば、熱交換器３４による室内機前後方向（奥行方向）の厚さの制約がなくなるから、圧電ファン１，１・・・本来の特徴を生かした可及的に薄型の壁掛型室内機を提供することができるようになる。
【００３８】
本願発明では、上記課題を解決するための第１９の手段として、前記第１１，１２，１３，１４，１５，１６，１７又は１８の手段において、前記複数台の圧電ファン１，１・・・のブレード３，３・・・の先端部付近には、送風可能な状態で、該ブレード３，３・・・の空気吸込部側領域と空気吹出部側領域とを仕切る仕切板３５が設けられている。
【００３９】
このような構成では、上記圧電ファン１，１・・・の空気吸込部側と空気吹出部側とが、上記仕切板３５によって送風可能なクローズド状態に仕切られ、そのブレード３，３・・・の先端側からの風のみが空気吹出口方向に吹き出されて行くようになり、ブレード３，３・・・の空気吸込部側と空気吹出部側との間に十分な圧力差を確保することができるようになる。つまり、静圧性能が大きく向上する。
【００４０】
その結果、圧電ファン１，１・・・のブレード３，３・・・の基部側から先端側に到る全域部分の周囲から均等に空気が吸込まれて空気吹出口方向に吹き出されるようになり、送風性能、熱交換が大きく増大する。
【００４１】
本願発明では、上記課題を解決するための第２０の手段として、前記第１１，１２，１３，１４，１５，１６，１７，１８又は１９の手段において、前記複数台の圧電ファン１，１・・・の間には、干渉音低減用の仕切板３６，３６・・・が設けられている。
【００４２】
したがって、このような構成によれば、複数台の圧電ファン１，１・・・の各ブレード３，３・・・の相互の振動音の干渉による騒音の増大が防止される。
【００４３】
本願発明では、上記課題を解決するための第２１の手段として、空気調和機用室内機の本体ケーシング３２内の空気通路に圧電ファン１を設けるとともに、該圧電ファン１に対応して熱交換器３４を設けて構成されている。
【００４４】
このように圧電ファン１を空気調和機用室内機の送風ユニットとして採用すると、それ自体の騒音が小さいことに加えて、圧電ファン１のブレード部分から吹き出される空気流は、回転成分を有しないほぼ直線的な流れとなる。そして、この直線的な流れの空気流は、均一な通過風速で熱交換器３４を通過するので、熱交換器３４が有効に使われる。
【００４５】
従って、小さいサイズの熱交換器でも従来のサイズ（即ち、回転式ファンを用いた場合）の熱交換器と同等の性能を発揮できることとなり、熱交換器のコンパクト化を図ることができる。
【００４６】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【００４７】
その結果、薄くて、消費電力が小さく、静かで、低コストな空気調和機用室内機を実現することができる。
【００４８】
本願発明では、上記課題を解決するための第２２の手段として、前記第２１の手段の圧電ファン１が複数台であり、空気流の上流から下流方向に並設されている。
【００４９】
このような構成によると、本体ケーシング３２内空気通路の空気吸込側（上流）から空気吹出方向（下流）に複数台の圧電ファン１，１、１，１・・・が直列に位置することになり、空気の吹出風速が大幅に向上し、吹出風量が増加する。しかも、本体部の厚さ自体は変わらない。
【００５０】
本願発明では、上記課題を解決するための第２３の手段として、空気調和機用室外機の本体ケーシング４０内の空気通路に圧電ファン１を設けるとともに、該圧電ファン１に対応して熱交換器４４を設けて構成されている。
【００５１】
このように、圧電ファン１を空気調和機用室外機の送風ユニットとして採用すると、それ自体の騒音が小さいことに加えて、圧電ファン１のブレード部分から吹き出される空気流は、回転成分を有しないほぼ直線的な流れとなる。そして、この直線的な流れの空気流は、均一な通過風速で熱交換器４４を通過するので、熱交換器４４が有効に使われる。
【００５２】
従って、小さいサイズの熱交換器でも従来のサイズ（即ち、回転式ファンを用いた場合）の熱交換器と同等の性能を発揮できることとなり、熱交換器のコンパクト化を図ることができる。
【００５３】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【００５４】
その結果、消費電力が小さく、静かで、コンパクトかつ低コストな空気調和機用室外機を実現することができる。
【００５５】
本願発明では、上記課題を解決するための第２４の手段として、前記第２４の手段における圧電ファン１が複数台であり、ブレード３の振動方向に沿って並設されている。
【００５６】
このような構成によると、室外機本体の厚さを可及的に薄くした状態で、可及的に多数の圧電ファン１，１・・・を設置することができ、室外機としての有効な送風量を増大することができる。また、熱交換器を通る空気流の流速分布をより効果的に均一化することができる。
【００５７】
本願発明では、上記課題を解決するための第２５の手段として、前記第２３の手段における圧電ファン１が複数台であり、空気流の上流から下流方向に沿って複数列並設されている。
【００５８】
このような構成によると、空気調和機用室外機の本体ケーシング４４内空気通路の空気吸込側（上流）から空気吹出方向（下流）に複数台の圧電ファン１，１、１，１・・・が直列に位置することになり、空気の吹出風速が大幅に向上し、吹出風量が増加する。しかも、本体部の厚さ自体は変わらない。
【００５９】
本願発明では、上記課題を解決するための第２６の手段として、前記第２４又は２５の手段において、前記複数台の圧電ファン１，１・・・は、それらの内の相互に隣合う圧電ファン１，１の駆動位相が相互に逆の関係で駆動されるようになっている。
【００６０】
このような構成によると、複数台の圧電ファン１，１・・・の機械的な振動が相殺され、安定し、かつ低騒音での運転が可能になる。また、上流から下流へ並設した場合にも、ブレード部が空気抵抗とならずに済む。
【００６１】
本願発明では、上記課題を解決するための第２７の手段として、前記第２３，２４，２５又は２６の手段において、前記室外機の本体ケーシング４４は、その正面４０ａ側と側面４０ｂ側に空気吸込口ａ，ｂを有し、熱交換器４は、これらの空気吸込口ａ，ｂに対応した鉤形の構造に形成されている。
【００６２】
このような構成によれば、本体ケーシング４４の正面４０ａ側と側面４０ｂ側各面の広い面において、有効かつコンパクトに熱交換器による熱交換を行わせることができる。
【００６３】
本願発明では、上記課題を解決するための第２８の手段として、空気調和機用室内機の本体ケーシング３２内の空気通路に弾性振動板を備えた往復動型のファン１を設けるとともに、該往復動型のファン１に対応して熱交換器３４を設けて構成されている。
【００６４】
このように弾性振動板を備えた往復動型のファン１を空気調和機用室内機の送風ユニットとして採用すると、それ自体の騒音が小さいことに加えて、往復動型のファン１の弾性振動板部分から吹き出される空気流は、回転成分を有しないほぼ直線的な流れとなる。そして、この直線的な流れの空気流は、均一な通過風速で熱交換器３４を通過するので、熱交換器３４が有効に使われる。
【００６５】
従って、小さいサイズの熱交換器でも従来のサイズ（即ち、回転式ファンを用いた場合）の熱交換器と同等の性能を発揮できることとなり、熱交換器のコンパクト化を図ることができる。
【００６６】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【００６７】
その結果、薄くて、消費電力が小さく、静かで、低コストな空気調和機用室内機を実現することができる。
【００６８】
本願発明では、上記課題を解決するための第２９の手段として、空気調和機用室外機の本体ケーシング４０内の空気通路に弾性振動板を備えた往復動型のファン１を設けるとともに、該往復動型のファン１に対応して熱交換器４４を設けて構成されている。
【００６９】
このように、弾性振動板を備えた往復動型のファン１を空気調和機用室外機の送風ユニットとして採用すると、それ自体の騒音が小さいことに加えて、往復動型のファン１の弾性振動板部分から吹き出される空気流は、回転成分を有しないほぼ直線的な流れとなる。そして、この直線的な流れの空気流は、均一な通過風速で熱交換器４４を通過するので、熱交換器４４が有効に使われる。
【００７０】
従って、小さいサイズの熱交換器でも従来のサイズ（即ち、回転式ファンを用いた場合）の熱交換器と同等の性能を発揮できることとなり、熱交換器のコンパクト化を図ることができる。
【００７１】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【００７２】
その結果、消費電力が小さく、静かで、コンパクトかつ低コストな空気調和機用室外機を実現することができる。
【発明を実施するための最良の形態】
【００７３】
以下、添付の図面を参照して、本願発明を実施するための最良の形態について説明する。
【００７４】
第１の形態
図１ないし図４には、本願発明の第１の形態にかかる熱交換器モジュールが示されている。
【００７５】
この熱交換器モジュールＺは、一対の圧電体２，２と該圧電体２，２の間に挟持されて往復振動する薄板形状のブレード３とからなる圧電ファン１と、該圧電ファン１の空気吹出側に配置された熱交換器４とからなる熱交ユニットＵを横方向に３個、縦方向に３個連結して構成されている。前記圧電ファン１と熱交換器４とは、枠体５を介して連結されている。符号２ａは圧電体２，２の一端が固定された電極接続部である。
【００７６】
前記圧電ファン１においては、一端を固定した圧電体２，２に対してその共振周波数の正弦波を加えると、ブレード３の先端部が、図２に２点鎖線で示すように、団扇状に往復振動して、該ブレード３によって押し出された空気が前方へ飛び出して風を発生させる。
【００７７】
前記熱交換器４は、前記圧電ファン１からの吹出空気Ｗに沿うように配設された内部に冷媒通路７（図４参照）を有する熱良導体からなる一対のプレート６，６と該プレート６，６間に架設された熱良導体からなる放熱フィン８，８・・とによって構成されている。この場合、前記プレート６，６は、鉛直姿勢とされる一方、前記放熱フィン８，８・・は、水平姿勢とされている。
【００７８】
上記のように構成された熱交換器モジュールＺにおいては、次のような作用効果が得られる。
【００７９】
前述したように、圧電体２，２に対してその共振周波数の正弦波を加えると、ブレード３の先端部が、図２に２点鎖線で示すように、団扇状に往復振動して、該ブレード３によって押し出された空気が前方へ飛び出して風を発生させる。このようにして圧電ファン１を構成するブレード３から吹き出される空気流Ｗは、回転成分を有しないほぼ直線的な流れとなる。この直線的な流れの空気流Ｗは、均一な通過風速で熱交換器４を構成するプレート６，６間の通路を通過し、該プレート６，６および放熱フィン８，８・・との熱交換により、加熱あるいは冷却されて温調空気Ｗ′となる。該温調空気Ｗ′は、熱交換器４の出口においてほぼ均一な風速分布で吹き出されることとなる。従って、熱交換器４が有効に使われることとなるため、小さいサイズの熱交換器で従来のサイズ（即ち、回転式ファンを用いた場合）の熱交換器と同等の性能を発揮できることとなり、熱交換器モジュールＺのコンパクト化を図ることができる。また、従来の回転式ファンを用いた場合のように吹出気流の最大風速を大きくする必要がなくなり、送風音を低く抑えることも可能となる。さらに、圧電ファン１から吹き出される空気流Ｗの通路を熱交換器４を構成するプレート６，６で構成することが可能となり、構成を簡略化できる。
【００８０】
ところで、上記構成の熱交換器モジュールＺの場合、図５に示すように、前記各放熱フィン８内にも冷媒通路９を形成して、各放熱フィン８にも熱交換機能を付与することもできる。このようにすると、熱交換器４の性能がさらに向上することとなる。
【００８１】
また、図６に示すように、前記圧電ファン１のうちの隣り合う圧電ファン１，１におけるブレード３，３の振動位相を１８０°ずらすことが望ましく、そのように構成した場合、隣合うブレード３，３同士が同位相で振動することがなくなり、共鳴による音の上昇および振動増幅を防止することができる。
【００８２】
第２の形態
図７には、本願発明の第２の形態にかかる熱交換器モジュールが示されている。
【００８３】
この場合、プレート６，６間に架設される放熱フィン８，８・・は水平に対して所定角度傾斜せしめられている。このようにすると、熱交換器４を蒸発器として使用したときに熱交換器４の表面に生ずる凝縮水が放熱フィン８，８・・を伝って流下することとなり、凝縮水の排出が容易となる。なお、この場合の各放熱フィン８内にも冷媒通路９を形成して、各放熱フィン８にも熱交換機能を付与することもできる（図５参照）。
【００８４】
その他の構成および作用効果は、第１の形態におけると同様なので説明を省略する。
【００８５】
第３の形態
図８および図９には、本願発明の第３の形態にかかる熱交換器モジュールが示されている。
【００８６】
この場合、熱交換器４は、圧電ファン１からの吹出空気Ｗに沿うように配設された内部に冷媒通路７（図４参照）を有する一対のプレート６，６と該プレート６，６間にあって該プレート６，６と平行に配設された放熱フィン１０，１０・・とによって構成されており、該各放熱フィン１０内には冷媒通路９（図５参照）が形成されている。このようにすると、圧電ファン１からの吹出空気流Ｗと接触するプレート６，６および放熱フィン１０，１０・・の両方が熱交換機能を有することとなり、熱交換器４の性能が向上するし、この熱交換器モジュールＺを放熱フィン１０，１０・・が鉛直方向となるような姿勢で蒸発器として使用したとき、熱交換器４の表面に生ずる凝縮水がプレート６，６および放熱フィン１０，１０・・を伝って流下することとなり、凝縮水の排出が容易となる。
【００８７】
その他の構成および作用効果は、第１の形態におけると同様なので説明を省略する。
【００８８】
第４の形態
図１０には、本願発明の第４の形態にかかる熱交換器モジュールが示されている。
【００８９】
この場合、熱交換器４は、圧電ファン１の空気吹出側に配設されたクロスフィンコイル式熱交換器とされており、圧電ファン１のブレード３と直交する姿勢で配置された冷媒通路となる伝熱管１１と該伝熱管１１に対して直交するように取り付けられたフィン１２，１２・・とからなっている。このようにすると、圧電ファン１からの吹出空気流Ｗは、熱交換器４のフィン１２，１２・・の間をスムーズに通過することとなり、熱交換器４が有効に使われることとなる。従って、小さいサイズの熱交換器で従来のサイズ（即ち、回転式ファンを用いた場合）の熱交換器と同等の性能を発揮できることとなり、熱交換器モジュールＺのコンパクト化を図ることができる。また、従来の回転式ファンを用いた場合のように吹出気流の最大風速を大きくする必要がなくなり、送風音を低く抑えることも可能となる。
【００９０】
その他の構成および作用効果は、第１の形態におけると同様なので説明を省略する。
【００９１】
第５の形態
図１１には、本願発明の第５の形態にかかる熱交換器モジュールが示されている。
【００９２】
この場合、前述の第１、第２、第３又は第４の形態にかかる熱交換器モジュールＺを２個互いに反対向きに結合して新たな熱交換器モジュールＺ′を構成している。このようにすると、一方側のみの熱交換器モジュールＺにおける圧電ファン１を作動させると、必要に応じて温調空気Ｗ′の吹出方向を逆向きとすることが可能となる。例えば、図１１（イ）に示すように、下側の熱交換器モジュールＺ側の圧電ファン１を駆動させた場合には、吹出空気流Ｗは下向きとなるし、図１１（ロ）に示すように、上側の熱交換器モジュールＺ側の圧電ファン１を駆動させた場合には、吹出空気流Ｗは上向きとなる。
【００９３】
その他の構成および作用効果は、第１の形態におけると同様なので説明を省略する。
【００９４】
第６の形態
図１２には、本願発明の第６の形態にかかる空気調和機用室内機が示されている。
【００９５】
この場合、前述の第５の形態にかかる熱交換器モジュールＺ′をケーシング１３内に配設して壁掛け式の空気調和機用室内機を構成している。前記ケーシング１３には、その下面に空気吸込口あるいは空気吹出口となる開口１４が、その上面に空気吹出口あるいは空気吸込口となる開口１５がそれぞれ形成されている。このようにすると、熱交換器モジュールＺ′における上側の熱交換器モジュールＺ側の圧電ファン１を駆動させると、矢印で示すように、冷房運転に適した下吸込、上吹出となり、熱交換器モジュールＺ′における下側の熱交換器モジュールＺ側の圧電ファン１を駆動させると、暖房運転に適した上吸込、下吹出となり、空気調和機用室内機のコンパクト化および低騒音化を図ることができるとともに、冷房運転あるいは暖房運転に最適な吹出気流が得られることとなるのである。
【００９６】
熱交換器モジュールＺにおけるその他の構成および作用効果は、第１の形態におけると同様なので説明を省略する。
【００９７】
第７の形態
図１３には、本願発明の第７の形態にかかる空気調和機用室外機が示されている。
【００９８】
この場合、第３の形態にかかる熱交換器モジュールＺをケーシング１６内に配設して空気調和機用室外機を構成している。前記ケーシング１６には、その背面に空気吸込口１７が、その前面に空気吹出口１８がそれぞれ形成されている。符号１９は機械室、２０は機械室１９内に配設された圧縮機である。このようにすると、超薄型の空気調和機用室外機を構成することが可能となり、空気調和機用室外機のコンパクト化および低騒音化を図ることができる。
【００９９】
なお、ケーシング１６内に配設される熱交換器モジュールＺとしては、他の形式のものを採用することができる。
【０１００】
熱交換器モジュールＺにおけるその他の構成および作用効果は、第１の形態におけると同様なので説明を省略する。
【０１０１】
第８の形態
図１４には、本願発明の第８の形態にかかる空気調和機用室内機が示されている。
【０１０２】
この場合、下面背面より位置に空気吸込口２１を、前面に空気吹出口２２を有するケーシング２３内に第１の形態にかかる熱交換器モジュールＺを２個同一方向に向けて配設して天吊り型の空気調和機用室内機を構成している。このようにすると、空気調和機用室内機のコンパクト化および低騒音化を図ることができる。
【０１０３】
なお、ケーシング２３内に配設される熱交換器モジュールＺとしては、他の形式のものを採用することができる。
【０１０４】
熱交換器モジュールＺにおけるその他の構成および作用効果は、第１の形態におけると同様なので説明を省略する。
【０１０５】
第９の形態
図１５には、本願発明の第９の形態にかかる空気調和機用室内機が示されている。
【０１０６】
この場合、下面中央部に空気吸込口２４を、下面外周部に空気吹出口２５を有するケーシング２６内に第１の形態にかかる熱交換器モジュールＺを２個隔壁２７に関して対称となるように配設して天埋め式の空気調和機用室内機を構成している。符号２８は空気吸込口２４に配設されたフィルタである。このようにすると、空気調和機用室内機のコンパクト化および低騒音化を図ることができる。
【０１０７】
なお、ケーシング２６内に配設される熱交換器モジュールＺとしては、他の形式のものを採用することができる。
【０１０８】
熱交換器モジュールＺにおけるその他の構成および作用効果は、第１の形態におけると同様なので説明を省略する。
【０１０９】
第１０の形態
図１６および図１７には、本願発明の第１０の形態にかかる空気調和機用室内機が示されている。
【０１１０】
この場合、輻射パネル２９の隙間Ｓ，Ｓ・・に、一対の圧電体２，２と該圧電体２，２の間に挟持されて往復振動する薄板形状のブレード３とからなる圧電ファン１を配設して輻射式の空気調和機用室内機を構成している。このように構成すると、圧電ファン１を構成するブレード３から吹き出される空気流Ｗは、輻射パネル２９の隙間Ｓ，Ｓ・・から微風となって吹き出されることとなり、輻射パネル２９の表面近傍の気流が少し速められる。その結果、輻射パネル２９による空気調和機能が向上することとなる。
【０１１１】
なお、本願発明は、上記各形態において説明した構造のものに限定されることはなく、本願発明の要旨を逸脱しない範囲において適宜設計変更されたものにも適用可能なことは勿論である。
【０１１２】
第１１の形態
図１８および図１９には、本願発明の第１１の形態にかかる空気調和機用室内機が示されている。
【０１１３】
この形態の場合、上述のような圧電ファン１を複数台、その振動方向に沿って並設することによって、それらのトータルの送風能力を十分に増大させ、熱交換面積の大きい大型の熱交換器にも対応できるようにしたことを特徴としている。
【０１１４】
図１８および図１９中、符号１は、上記各形態同様の圧電ファンである。該圧電ファン１は、例えば圧電セラミック等よりなる一対の圧電体２，２と、該一対の圧電体２，２の間に挟持された弾性率の大きい例えばプラスチック製の薄板等よりなるブレード３と、上記圧電体２，２およびブレード３の基端側を固定する固定部材３０と、該固定部材３０の他端側に設けられた電源端子部３１とから構成されている（いわゆるバイモルフ素子構造）。ブレード３は、一対の圧電体２，２よりも長さが長く、所望の風量を得るに十分な振幅と羽根幅のものに形成されている。
【０１１５】
今、上記電源端子部３１を介して上記一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材３０部分を固定して、その共振周波数の正弦波駆動電圧を与えるようにすると、上記ブレード３が、所定の振幅で、うちわ状に振動する。そして、ブレード３が中正点に復元するときに、押し出された空気が前面方向に飛び出し、風を発生させる。
【０１１６】
この時の風速および風量は、上記共振周波数やブレード３の先端振幅、羽根幅に依存する。またブレード３の先端振幅は、印加される駆動電圧の大きさに依存する。
【０１１７】
このような構成の圧電ファン１では、多翼ファン（シロッコファン）のような回転機構等の摺動部がないので、耐久性に優れ、またコイル部がないので電磁ノイズも発生しない。また、消費電力量も小さく、送風時の騒音も低い。
【０１１８】
一方、符号３２は、例えば図１９に示すような壁掛け型の空気調和機用室内機の本体ケーシングであり、建物の壁３３ａの上部に、天井３３ｂとの間に所定の間隔をおいて設置されるように構成されている。そして、該本体ケーシング３２の正面部と天面部には、各々空気吸込用の開口３２ａ，３２ａが、また底面には空気吹出用の開口３２ｂが各々開口されており、上記正面側、天面側各空気吸込用開口３２ａ，３２ａの内側には、当該各開口面に対応して内部に冷媒が流れる鉤形の空気熱交換器３４が設けられている。
【０１１９】
そして、上記圧電ファン１は、該構造の本体ケーシング３２内において、上記空気吸込用の開口３２ａ，３２ａおよび空気熱交換器３４、空気吹出用の開口３２ｂに対して、例えば図１８および図１９に示すように設置固定され、上述のように、その共振周波の正弦波駆動電圧で駆動された時に、例えば図１９中に仮想線で示すように、上記各空気吸込用開口３２ａ，３２ａから均等に空気を吸込み、上記空気熱交換器３４の正面側部分および天面側部分の各々を均等に通して、底面側空気吹出用の開口３２ｂから下方にスムーズに吹き出すようになっている。
【０１２０】
このような構成によると、羽根幅が小さく、しかも羽根面と直交方向に振動する多数の圧電ファン１，１・・・を使用して送風ユニットを構成し、それを鉤形で、コンパクトかつ広面積の空気熱交換器３４に対応させているので、トータルとして有効な送風量を確保しながら、しかも室内機自体を十分に薄型化することができるようになる。
【０１２１】
したがって、特に上述のような壁掛け型のものに適したものとなる。
【０１２２】
第１２の形態
図２０には、本願発明の第１２の形態にかかる空気調和機用室内機が示されている。
【０１２３】
この形態の場合、上記第１１の形態のように、圧電ファン１を複数台並設することによって、そのトータルの送風能力を十分に増大させ、大型の熱交換器にも対応できるようにした場合において、各圧電ファン１，１・・・の隣合うもの同士の駆動位相を異ならせたことを特徴としている。
【０１２４】
すなわち、この形態の場合、図２０に示すように、上記第１１の形態の場合と同じように、圧電ファン１，１・・・を複数台並設することによって、そのトータルの送風能力を十分に増大させ、同様に大型の熱交換器３４に対応できるようにするとともに、十分に薄型化を図った空気調和機用の室内機において、各々隣合う圧電ファン１，１の駆動位相を相互に逆の関係となるように構成している。
【０１２５】
すなわち、この場合、上記複数台の圧電ファン１，１・・・は、例えば図示のように偶数台設けるようにし、それらの内の相互に隣合う圧電ファン１，１同士の駆動位相を逆にし（１８０°）、相互の振動が吸収されるような駆動方法が採用されている。
【０１２６】
このような構成を採用すると、駆動時の機械的な振動および騒音が共に有効に低減され、本質的に静粛性の高い圧電ファンを用いた送風ユニットの特徴を可及的有効に活かすことができる。
【０１２７】
第１３の形態
図２１〜図２４には、本願発明の第１３の形態にかかる空気調和機用室内機が示されている。
【０１２８】
この形態の場合、上記第１１の形態のように、圧電ファン１，１・・・を複数台並設することによって、そのトータルの送風能力を十分に増大させ、大型の熱交換器３４に対応できるようにした場合において、さらに各圧電ファン１，１・・・の静圧性能を特に有効に向上させて、その送風性能を一段とアップさせたことを特徴としている。
【０１２９】
すなわち、図２１および図２２に示すような空気調和機用室内機の空気吹出用の開口３２ｂに対して、上記圧電ファン１のブレード３先端が単にオープンな状態で対応しているだけの場合には、静圧性能が低く、空気吸込側と空気吹出側との圧力差が取りにくいので、送風効率が悪い。
【０１３０】
そこで、この形態では、各圧電ファン１，１・・・のブレード３，３・・・の空気吸込部側と空気吹出部側との間、より具体的には圧電ファン１，１・・・のブレード３，３・・・と本体ケーシング３２の空気吹出用の開口３２ｂとの間、さらに具体的には、同部分における圧電ファン１，１・・・のブレード３，３・・・の先端３ｂ，３ｂ・・・部分に位置して、圧電ファン１，１・・・側と空気吹出用の開口４ｂ側とをクローズド状態に仕切る共通の仕切板３５を設けて、上記ブレード３，３・・・の空気吹出部側と空気吸込部側との間に有効な圧力差が生じるように構成している。
【０１３１】
この仕切板３５は、例えば図２３に詳細に示されているように、全体として上記各ブレード３，３・・・の先端３ｂ，３ｂ・・・の振動軌跡に対応して円弧板形状に構成され、同円弧板３５ａ，３５ａ・・・部分には、上記ブレード３，３・・・の先端３ｂ，３ｂ・・・の幅と振幅（最大振幅）に対応してブレード３，３・・・の先端（チップ位置）３ｂ，３ｂ・・・を振動自在に所定の隙間を有して嵌合（遊嵌）させるブレード嵌合口３５ｃ，３５ｃ・・・が設けられている。一方、その両端側は、平板形状の仕切壁３５ｂ，３５ｂ、３５ｂ，３５ｂ・・・に構成されている。該仕切壁３５ｂ，３５ｂの仕切板３５の両端側部分は、当該仕切板３５自体を本体ケーシング３２の側板間に固定する機能をも有している。
【０１３２】
したがって、このような構成では、上記各圧電ファン１，１・・・と本体ケーシング３２の空気吹出用の開口３２ｂとは、上記円弧板３５ａ，３５ａ・・・部を有する仕切板３５によってクローズド状態に仕切られ、各ブレード３，３・・・の先端３ｂ，３ｂ・・・側からの風のみが、上記対応する各ブレード嵌合口３５ｃ，３５ｃ・・・から上記空気吹出用開口３２ｂ側に吹き出されて行くようになり、各ブレード３，３・・・の空気吹出部側と空気吸込部側との間に十分な圧力差を確保することができるようになる。つまり、静圧性能が大きく向上する。
【０１３３】
その結果、例えば図２４に示すように、この形態の構成では、圧電ファン１のブレード３の基部３ａ側から先端３ｂ側に到る全域部分の周囲から均等に空気が吸込まれて空気吹出用の開口３２ｂ側に吹き出されるようになり、図２２のように上記空気熱交換器３４の各部を通る空気の流速分布が全体に亘って効果的に均一化される。
【０１３４】
その結果、空気熱交換器３４の熱交換性能も向上する。
【０１３５】
第１４の形態
図２５および図２６には、本願発明の第１４の形態にかかる空気調和機用室内機が示されている。
【０１３６】
この形態の場合には、上述の第１３の形態の構成のように、各圧電ファン１，１・・・のブレード３，３・・・に対応してブレード嵌合口３５ｃ，３５ｃ・・・を有する仕切板３５を設けた場合において、さらに該仕切板３５の各圧電ファン１，１の仕切壁３５ｂ，３５ｂ・・・部分に、各圧電ファン１，１・・・のブレード３とブレード３との間を相互に仕切る前後方向の仕切板３６，３６・・・を設けて各ブレード３，３・・・間の振動音が相互に干渉するのを防止したことを特徴としている。
【０１３７】
このような構成によると、同じ周波数で振動する各ブレード３，３・・・の振動音が相互に干渉してうなり音を生じるのを有効に低減することができる。
【０１３８】
第１５の形態
図２７〜図２９には、本願発明の第１５の形態にかかる空気調和機用室内機が示されている。
【０１３９】
この形態の場合、上述の第１１〜第１４の形態のものが、何れも上下方向に鉤形の熱交換器構造であったものを、例えば図２７〜図２９に示すように平面コの字形状の構造に変更し、正面だけでなく、本体ケーシング３２の両側面側に形成した空気吸込用の開口３２ａ，３２ａからも空気を吸い込めるようにして、熱交面積を拡大させたことを特徴とするものである。
【０１４０】
このような構成にすると、熱交換能力が有効に増大する。
【０１４１】
第１６の形態
図３０〜図３２には、本願発明の第１６の形態にかかる空気調和機用室内機が示されている。
【０１４２】
この形態の場合、上述の第１１〜第１４の形態のものが、何れも上下方向に鉤形の熱交換器構造であったものを、側面逆Ｕの字形状の構造に変更して、圧電ファン１，１・・・の前後両面側を覆うようにし、正面側空気吸込用開口３２ａおよび天面側空気吸込用開口３２ａから空気を吸い込めるようにするとともに、特に天面側空気吸込用開口３２ａからの吸込空気を、その背面側熱交部分でも熱交換できるようにして、熱交面積を遥かに大きく拡大させたことを特徴とするものである。
【０１４３】
第１７の形態
図３３および図３４には、本願発明の第１７の形態にかかる空気調和機用室内機が示されている。
【０１４４】
この形態の場合には、上述の第１１〜第１４の形態のものでは、その何れのものも熱交換器３４が、本体ケーシング３２の正面側から天面側後方に鉤形に折り曲げられた構造のものであったのに対して、例えば図３３および図３４に示すように、本体ケーシング正面側の空気吸込用開口３２ａにのみ対応するフラットな構造のものに変更し、より壁３３ａに対する前後方向の厚さを薄くできるようにしたことを特徴としている。
【０１４５】
すなわち、このような構成によると、上述の第１１〜１４の形態のものに比べると、少し熱交面積が縮小されるが、圧電ファンの特徴を生かし、室内機全体の前後方向の厚さを可及的に薄く形成することができ、壁掛けタイプのものとして特に有効なものとなる。
【０１４６】
第１８の形態
図３５には、本願発明の第１８の形態にかかる空気調和機用室内機が示されている。
【０１４７】
この形態の場合には、上述の第１１〜第１７の形態の場合と同様に、圧電ファン１を複数台並設することによって、そのトータルの送風能力を十分に増大させ、大型の熱交換器３４に対応できるようにしているが、その場合において、やはり静圧増大用の仕切板３５を用い、かつ振動方向に並設された複数台の圧電ファン１，１・・・を、相互に重ならないように位置を変えて上下方向に２列に配置したことを特徴としている。
【０１４８】
このような構成によると、本体ケーシング３２内空気通路の空気吸込側から空気吹出方向に複数台の圧電ファン１，１、１，１・・・が直列に位置することになり、空気の吹出風速が大幅に向上し、吹出風量が増加する。しかも、本体部の厚さ自体は変わらない。
【０１４９】
第１９の形態
図３６〜図４２には、本願発明の第１９の形態に係る空気調和機用室外機が示されている。
【０１５０】
この形態の場合には、前述の従来例で述べたような空気調和機用室外機に対して、弾性振動板ファンである本願発明の圧電ファン１，１を送風ユニットとして組み込んだことを特徴としている。
【０１５１】
この構成では、先ず空気調和機用室外機の箱型の室外機本体ケーシング（以下、単に本体ケーシングという）４０が、正面４０ａ、左側面４０ｂ、上面４０ｃをそれぞれ開口面とする一方、背面４０ｄ、右側面４０ｅ、底面４０ｆを閉塞面として構成されており、正面４０ａおよび左側面４０ｂにグリル構造の空気吸込口ａ，ｂが、また上面４０ｃにグリル構造の空気吹出口ｃがそれぞれ設けられている。
【０１５２】
一方、同本体ケーシング４０内の右側面４０ｅ側には、仕切板４１を介して機械室４２が形成されており、該機械室４２内には、圧縮機４３その他の各種必要機器が設置されている。
【０１５３】
そして上記本体ケーシング４０内の上記正面４０ａ、背面４０ｄ、左側面４０ｂ、仕切板４１によって囲まれた空間内には、上記正面４０ａ側空気吸込口ａと左側面４０ｂ側空気吸込口ｂの各々に対応して水平方向に鉤形の空気熱交換器４４が並設されている一方、その内側には、図３６および図３７に示されるように、上記各の形態のものと同様の弾性振動板ファンとして構成された複数の圧電ファン１，１が送風手段（送風ユニット）として左右方向に並設されている。この圧電ファン１は、例えば圧電セラミック等よりなる一対の圧電体２，２と、該一対の圧電体２，２の間に挟持された弾性率の大きい例えばプラスチック製の薄板等よりなるブレード３と、上記圧電体２，２およびブレード３の基端側を固定する固定部材３０と、該固定部材３０の他端側に設けられた電源端子部３１とから構成されている（いわゆるバイモルフ素子構造となっている）。ブレード３は、一対の圧電体２，２よりも長さが長く、所望の風量を得るに十分な振幅と羽根幅のものに形成されている。
【０１５４】
今、上記電源端子部３１を介して上記一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材３０部分を固定して、その共振周波数の正弦波駆動電圧を与えるようにすると、上記ブレード３が、所定の振幅で、うちわ状に振動する。そして、ブレード３が中正点に復元するときに、押し出された空気が前面方向に飛び出し、風を発生させる。
【０１５５】
この時の風速および風量は、上記共振周波数やブレード３の先端振幅、羽根幅に依存する。またブレード３の先端振幅は、印加される駆動電圧の大きさに依存する。
【０１５６】
このような構成の圧電ファン１では、従来のプロペラファンのような回転機構等の摺動部がないので、耐久性に優れ、またコイル部がないので電磁ノイズも発生しない。また、消費電力量も小さく、送風時の騒音も低い。
【０１５７】
そして、上記圧電ファン１，１は、上記本体ケーシング４０内において、上記空気吸込口ａ，ｂおよび空気熱交換器４４、空気吹出口ｃに対して、図３６および図３７に示すように設置固定され、その共振周波の正弦波駆動電圧で駆動された時に、上記各空気吸込口ａ，ｂから均等に空気を吸込み、上記空気熱交換器４４の正面側部分および左側面側部分の各々を均等に通して、上面側空気吹出口ｃから上方にスムーズに吹き出すようになっている。
【０１５８】
このような構成によると、羽根幅が小さく、しかも羽根面と直交方向に低騒音で振動する複数の圧電ファン１，１を使用して可及的に扁平かつ静かな送風ユニットを構成し、それを鉤形で、コンパクトかつ広面積の空気熱交換器４４に対応させているので、トータルとして有効な送風量を確保しながら、しかも室外機自体を十分に薄型化することができるようになる。しかも、静音性が高い。
【０１５９】
そして、この場合、上記上面４０ｃ側空気吹出口ｃの下面側には、上記各圧電ファン１，１のブレード部３，３の先端に対応して、例えば図４０のような形状のブレード嵌合口４５ｂ，４５ｂを形成するベルマウス４５，４５が設けられている。該ベルマウス４５，４５は、空気吹出方向上流側に円弧面状の空気導入部４５ａ，４５ａが設けられ、吹出方向への空気流が、同空気導入部４５ａ，４５ａを介して可及的にスムーズに導入されるようになっている。
【０１６０】
したがって、このような構成では、上記各圧電ファン１，１と本体ケーシング４０の上面４０ｃの空気吹出口ｃとは、上記円弧面状の空気導入部４５ａ，４５ａを有するベルマウス４５，４５によってクローズド状態に仕切られ、各ブレード３，３・・・の先端３ｂ，３ｂ・・・側からの風のみが、上記対応する各ブレード嵌合口４５ｂ，４５ｂから上記空気吹出口ｃ側に吹き出されて行くようになり、各ブレード３，３・・・の空気吹出部側と空気吸込部側との間に十分な圧力差を確保することができるようになる。つまり、静圧性能が大きく向上する。
【０１６１】
その結果、圧電ファン１のブレード３の基部３ａ側から先端３ｂ側に到る全域部分の周囲から均等に空気が吸込まれて空気吹出口ｃ側に吹き出されるようになり、上記空気熱交換器４４の各部を通る空気の流速分布が全体に亘って効果的に均一化される。
【０１６２】
その結果、空気熱交換器４４の熱交換性能も十分に向上する。
【０１６３】
なお、この形態においても、上記圧電ファン１は、例えば複数台のものを、上記のようなブレード部３の振動方向に並列に、又は空気流の上下流方向に直列に設置するなど種々の設置形態を採用することができるとは言うまでもない。また、その場合、相互に隣合うもの同士の駆動位相を逆にしたり、上下流間のものが重ならないように、千鳥状に配列したりすることも全く自由に採用される。
【０１６４】
その他の形態
以上の各形態では、それぞれ往復動型の送風手段として、弾性振動板（ブレード部３）を有する圧電ファンを採用したが、該往復動型の送風手段としては、その他にも例えば弾性振動板（ブレード部３）を電磁的に往復駆動する電磁駆動型のファンを採用することもできる。そして、そのようにした場合にも、上述の各形態の場合と全く同様の作用効果を得ることができる。
【０１６５】
この場合、弾性振動板（ブレード部３）を往復駆動する電磁的な駆動手段としては、例えば弾性振動板（ブレード部３）側の一部又は全部を磁性体構造とする一方、その両側に電磁石を設けて交互にＯＮ，ＯＦＦさせるか、又は弾性振動板（ブレード部３）の一部をマグネット構造（ＮＳ構造）にして同両側の電磁石の磁性を切り換えることにより往復動させる構成、又は弾性振動板（ブレード部３）の一部と円弧型に対応するリニアモータにより所定の円弧角で往復動させる構成等種々の構成の採用が可能である。
【０１６６】
以上の結果、本願発明によれば、次のような作用効果を得ることができる。
【０１６７】
本願発明の第１の手段によれば、一対の圧電体２，２と該圧電体２，２の間に挟持されて往復振動する薄板形状のブレード３とからなる圧電ファン１と、該圧電ファン１の空気吹出側に配置された熱交換器４とからなる熱交ユニットＵを複数個連結して熱交換器モジュールを構成して、圧電ファン１を構成するブレード３から吹き出される空気流Ｗが、回転成分を有しないほぼ直線的な流れとなって、均一な通過風速で熱交換器４を通過するようにしたので、熱交換器４が有効に使われることとなって、小さいサイズの熱交換器で従来のサイズ（即ち、回転式ファンを用いた場合）の熱交換器と同等の性能を発揮できることとなり、熱交換器モジュールＺのコンパクト化を図ることができるという効果がある。また、熱交換器４を通過する過程において加熱あるいは冷却されて温調空気Ｗ′となった空気流は、熱交換器４の出口においてほぼ均一な風速分布で吹き出されることとなるところから、従来の回転式ファンを用いた場合のように吹出気流の最大風速を大きくする必要がなくなり、送風音を低く抑えることも可能となるという効果もある。
【０１６８】
本願発明の第２の手段におけるように、上記第１の手段を備えた熱交換器モジュールにおいて、前記熱交換器４を、前記圧電ファン１からの吹出空気Ｗに沿うように配設された内部に冷媒通路７を有する熱良導体からなる一対のプレート６，６と該プレート６，６間に架設された熱良導体からなる多数の放熱フィン８，８・・とによって構成することもでき、そのように構成した場合、圧電ファン１から吹き出される空気流Ｗの通路を熱交換器４を構成するプレート６，６で構成することが可能となり、構成を簡略化できる。
【０１６９】
本願発明の第３の手段におけるように、上記第２の手段を備えた熱交換器モジュールにおいて、前記各放熱フィン８内に冷媒通路９を形成することもでき、そのように構成した場合、放熱フィン８にも熱交換機能が付与されることとなり、熱交換器４の性能が向上する。
【０１７０】
本願発明の第４の手段におけるように、上記第２又は第３の手段を備えた熱交換器モジュールにおいて、前記放熱フィン８，８・・を水平に対して所定角度傾斜させることもでき、そのように構成した場合、熱交換器４を蒸発器として使用したときに熱交換器４の表面に生ずる凝縮水が放熱フィン８，８・・を伝って流下することとなり、凝縮水の排出が容易となる。
【０１７１】
本願発明の第５の手段におけるように、上記第１の手段を備えた熱交換器モジュールにおいて、前記熱交換器４を、前記圧電ファン１からの吹出空気Ｗに沿うように配設された内部に冷媒通路７を有する熱良導体からなる一対のプレート６，６と該プレート６，６間にあって該プレート６，６と平行に配設された熱良導体からなる多数の放熱フィン１０，１０・・とによって構成するとともに、該各放熱フィン１０内に冷媒通路９を形成することもでき、そのように構成した場合、圧電ファン１からの吹出空気流Ｗと接触するプレート６，６および放熱フィン１０，１０・・の両方が熱交換機能を有することとなり、熱交換器４の性能が向上するし、この熱交換器モジュールＺを放熱フィン１０，１０・・が鉛直方向となるような姿勢で蒸発器として使用したとき、熱交換器４の表面に生ずる凝縮水がプレート６および放熱フィン１０を伝って流下することとなり、凝縮水の排出が容易となる。
【０１７２】
本願発明の第６の手段におけるように、上記第１、第２、第３、第４又は第５の手段を備えた熱交換器モジュールにおいて、前記圧電ファン１，１・・のうちの隣り合う圧電ファン１，１におけるブレード３の振動位相を１８０°ずらすこともでき、そのように構成した場合、隣合うブレード３，３同士が同位相で振動することがなくなり、共鳴による音の上昇および振動増幅を防止することができる。
【０１７３】
本願発明の第７の手段におけるように、上記第１、第２、第３、第４又は第５の手段を備えた熱交換器モジュールＺを２個互いに反対向きに結合することもでき、そのように構成した場合、一方側のみの熱交換器モジュールＺにおける圧電ファン１を作動させると、必要に応じて温調空気Ｗ′の吹出方向を逆向きとすることが可能となる。
【０１７４】
本願発明の第８の手段におけるように、上記第１、第２、第３、第４、第５、第６又は第７の手段を備えた熱交換器モジュールＺを内蔵させて空気調和機用室外機を構成することもでき、そのように構成した場合、空気調和機用室外機のコンパクト化および低騒音化を図ることができる。
【０１７５】
本願発明の第９の手段におけるように、上記第１、第２、第３、第４、第５、第６又は第７の手段を備えた熱交換器モジュールＺを内蔵させて空気調和機用室内機を構成することもでき、そのように構成した場合、空気調和機用室内機のコンパクト化および低騒音化を図ることができる。
【０１７６】
本願発明の第１０の手段によれば、輻射パネル２９の隙間Ｓ，Ｓ・・に、一対の圧電体２，２と該圧電体２，２の間に挟持されて往復振動する薄板形状のブレード３とからなる圧電ファン１を配設して空気調和機用室内機を構成して、圧電ファン１を構成するブレード３から吹き出される空気流Ｗが、輻射パネル２９の隙間Ｓ，Ｓ・・から微風となって吹き出されるようにしたので、輻射パネル２９の表面近傍の気流が少し速められることとなり、輻射パネル２９による空気調和機能が向上するという効果がある。
【０１７７】
本願発明の第１１の手段では、空気調和機用室内機の本体ケーシング３２内の空気通路に複数台の圧電ファン１，１・・・を並設するとともに、該複数台の圧電ファン１，１・・・に対応して熱交換器３４を設けている。
【０１７８】
このように圧電ファン１を空気調和機用の送風ユニットとして採用し、該圧電ファン１を複数台並設することによって、そのトータルの送風能力を十分に増大させ、大型の熱交換器にも対応できるようにすると、薄くて、消費電力が小さく、静かで、低コストな空気調和機用室内機を実現することができる。
【０１７９】
本願発明の第１２の手段では、前記第１１の手段における複数台の圧電ファン１，１・・・が、ブレード３の振動方向に沿って並設されている。
【０１８０】
したがって、室内機本体の厚さを可及的に薄くした状態で、可及的に多数の圧電ファン１，１・・・を設置することができ、室内機としての有効な送風量を実現することができる。
【０１８１】
本願発明の第１３の手段では、前記第１１の手段における前記複数台の圧電ファン１，１・・・が、ブレード３の振動方向に沿って複数列並設されている。
【０１８２】
したがって、本体ケーシング３２内空気通路の空気吸込側から空気吹出方向に複数台の圧電ファン１，１、１，１・・・が直列に位置することになり、空気の吹出風速が大幅に向上し、吹出風量が増加する。しかも、本体部の厚さ自体は変わらない。
【０１８３】
本願発明の第１４の手段では、前記第１１，１２又は１３の手段において、前記複数台の圧電ファン１，１・・・が、それらの内の相互に隣合う圧電ファン１，１の駆動位相が相互に逆の関係で駆動されるようになっている。
【０１８４】
したがって、複数台の圧電ファン１，１・・・の機械的な振動が相殺され、安定し、かつ低騒音での運転が可能になる。
【０１８５】
本願発明の第１５の手段では、前記第１１，１２，１３又は１４の手段において、前記室内機が壁掛け型のものよりなり、本体ケーシング３２は、その正面側と天面側に空気吸込用の開口３２ａ，３２ａを有し、熱交換器３４は、これらの各開口３２ａ，３２ａに対応した鉤形の構造に形成されている。
【０１８６】
したがって、本体ケーシング３２の正面側と天面側２面において、有効かつコンパクトに熱交換を行わせることができる。
【０１８７】
本願発明の第１６の手段では、前記第１１，１２，１３又は１４の手段において、前記室内機が壁掛け型のものよりなり、本体ケーシング３２は、その正面側と両側面側に空気吸込用の開口３２ａ，３２ａ，３２ａを有し、熱交換器３４は、これらの各開口３２ａ，３２ａ，３２ａに対応した平面コの字形の構造に形成されている。
【０１８８】
したがって、本体ケーシング３２の正面側からのみならず、左右両側からの空気吸込流をも利用して、広い面積で熱交換を行わせることができ、熱交換能力の向上が図られる。
【０１８９】
本願発明の第１７の手段では、前記第１１，１２，１３又は１４の手段において、前記室内機が壁掛け型のものよりなり、本体ケーシング３２は、その正面側と天面側に空気吸込用の開口３２ａ，３２ａを有し、熱交換器３４は、これらの各開口３２ａ，３２ａに対応し、かつ圧電ファン１，１・・・の背面にも対応した側面逆Ｕ字形の構造に形成されている。
【０１９０】
したがって、圧電ファン１，１・・・のブレード３，３・・・の幅方向両側からの有効な吸込力を利用して、きわめて広い面積で熱交換を行わせることができ、熱交換能力が大きく向上する。
【０１９１】
本願発明の第１８の手段では、前記第１１，１２，１３又は１４の手段において、前記室内機が壁掛け型のものよりなり、本体ケーシング３２は、その正面側に空気吸込用の開口３２ａを有し、熱交換器３４は、同開口３２ａに対応した平面形の構造に形成されている。
【０１９２】
したがって、熱交換器３４による室内機前後方向（奥行方向）の厚さの制約がなくなるから、圧電ファン１，１・・・本来の特徴を生かした可及的に薄型の壁掛型室内機を提供することができるようになる。
【０１９３】
本願発明の第１９の手段では、前記第１１，１２，１３，１４，１５，１６，１７又は１８の手段において、前記複数台の圧電ファン１，１・・・のブレード３，３・・・の先端部付近には、送風可能な状態で、該ブレード３，３・・・の空気吸込部側領域と空気吹出部側領域とを仕切る仕切板３５が設けられている。
【０１９４】
したがって、上記圧電ファン１，１・・・の空気吸込部側と空気吹出部側とが、上記仕切板３５によって送風可能なクローズド状態に仕切られ、そのブレード３，３・・・の先端側からの風のみが空気吹出口方向に吹き出されて行くようになり、ブレード３，３・・・の空気吸込部側と空気吹出部側との間に十分な圧力差を確保することができるようになる。つまり、静圧性能が大きく向上する。
【０１９５】
その結果、圧電ファン１，１・・・のブレード３，３・・・の基部側から先端側に到る全域部分の周囲から均等に空気が吸込まれて空気吹出口方向に吹き出されるようになり、送風性能、熱交換が大きく増大する。
【０１９６】
本願発明の第２０の手段では、前記第１１，１２，１３，１４，１５，１６，１７，１８又は１９の手段において、前記複数台の圧電ファン１，１・・・の間には、干渉音低減用の仕切板３６，３６・・・が設けられている。
【０１９７】
したがって、複数台の圧電ファン１，１・・・の各ブレード３，３・・・の相互の振動音の干渉による騒音の増大が防止される。
【０１９８】
本願発明の第２１の手段では、空気調和機用室内機の本体ケーシング３２内の空気通路に圧電ファン１を設けるとともに、該圧電ファン１に対応して熱交換器３４を設けて構成されている。
【０１９９】
このように圧電ファン１を空気調和機用室内機の送風ユニットとして採用すると、それ自体の騒音が小さいことに加えて、圧電ファン１のブレード部分から吹き出される空気流は、回転成分を有しないほぼ直線的な流れとなる。そして、この直線的な流れの空気流は、均一な通過風速で熱交換器３４を通過するので、熱交換器３４が有効に使われる。
【０２００】
従って、小さいサイズの熱交換器でも従来のサイズ（即ち、回転式ファンを用いた場合）の熱交換器と同等の性能を発揮できることとなり、熱交換器のコンパクト化を図ることができる。
【０２０１】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【０２０２】
その結果、薄くて、消費電力が小さく、静かで、低コストな空気調和機用室内機を実現することができる。
【０２０３】
本願発明の第２２の手段では、前記第２１の手段の圧電ファン１が複数台であり、空気流の上流から下流方向に並設されている。
【０２０４】
このような構成によると、本体ケーシング３２内空気通路の空気吸込側（上流）から空気吹出方向（下流）に複数台の圧電ファン１，１、１，１・・・が直列に位置することになり、空気の吹出風速が大幅に向上し、吹出風量が増加する。しかも、本体部の厚さ自体は変わらない。
【０２０５】
本願発明の第２３の手段では、空気調和機用室外機の本体ケーシング４０内の空気通路に圧電ファン１を設けるとともに、該圧電ファン１に対応して熱交換器４４を設けて構成されている。
【０２０６】
このように、圧電ファン１を空気調和機用室外機の送風ユニットとして採用すると、それ自体の騒音が小さいことに加えて、圧電ファン１のブレード部分から吹き出される空気流は、回転成分を有しないほぼ直線的な流れとなる。そして、この直線的な流れの空気流は、均一な通過風速で熱交換器４４を通過するので、熱交換器４４が有効に使われる。
【０２０７】
従って、小さいサイズの熱交換器でも従来のサイズ（即ち、回転式ファンを用いた場合）の熱交換器と同等の性能を発揮できることとなり、熱交換器のコンパクト化を図ることができる。
【０２０８】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【０２０９】
その結果、消費電力が小さく、静かで、コンパクトかつ低コストな空気調和機用室外機を実現することができる。
【０２１０】
本願発明の第２４の手段では、前記第２４の手段における圧電ファン１が複数台であり、ブレード３の振動方向に沿って並設されている。
【０２１１】
このような構成によると、室外機本体の厚さを可及的に薄くした状態で、可及的に多数の圧電ファン１，１・・・を設置することができ、室外機としての有効な送風量を増大することができる。また、熱交換器を通る空気流の流速分布をより効果的に均一化することができる。
【０２１２】
本願発明の第２５の手段では、前記第２３の手段における圧電ファン１が複数台であり、空気流の上流から下流方向に沿って複数列並設されている。
【０２１３】
このような構成によると、空気調和機用室外機の本体ケーシング４４内空気通路の空気吸込側（上流）から空気吹出方向（下流）に複数台の圧電ファン１，１、１，１・・・が直列に位置することになり、空気の吹出風速が大幅に向上し、吹出風量が増加する。しかも、本体部の厚さ自体は変わらない。
【０２１４】
本願発明の第２６の手段では、前記第２４又は２５の手段において、前記複数台の圧電ファン１，１・・・は、それらの内の相互に隣合う圧電ファン１，１の駆動位相が相互に逆の関係で駆動されるようになっている。
【０２１５】
このような構成によると、複数台の圧電ファン１，１・・・の機械的な振動が相殺され、安定し、かつ低騒音での運転が可能になる。また、上流から下流へ並設した場合にも、ブレード部が空気抵抗とならずに済む。
【０２１６】
本願発明の第２７の手段では、前記第２３，２４，２５又は２６の手段において、前記室外機の本体ケーシング４４は、その正面４０ａ側と側面４０ｂ側に空気吸込口ａ，ｂを有し、熱交換器４は、これらの空気吸込口ａ，ｂに対応した鉤形の構造に形成されている。
【０２１７】
このような構成によれば、本体ケーシング４４の正面４０ａ側と側面４０ｂ側各面の広い面において、有効かつコンパクトに熱交換器による熱交換を行わせることができる。
【０２１８】
本願発明の第２８の手段では、空気調和機用室内機の本体ケーシング３２内の空気通路に弾性振動板を備えた往復動型のファン１を設けるとともに、該往復動型のファン１に対応して熱交換器３４を設けて構成されている。
【０２１９】
このように弾性振動板を備えた往復動型のファン１を空気調和機用室内機の送風ユニットとして採用すると、それ自体の騒音が小さいことに加えて、往復動型のファン１の弾性振動板部分から吹き出される空気流は、回転成分を有しないほぼ直線的な流れとなる。そして、この直線的な流れの空気流は、均一な通過風速で熱交換器３４を通過するので、熱交換器３４が有効に使われる。
【０２２０】
従って、小さいサイズの熱交換器でも従来のサイズ（即ち、回転式ファンを用いた場合）の熱交換器と同等の性能を発揮できることとなり、熱交換器のコンパクト化を図ることができる。
【０２２１】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【０２２２】
その結果、薄くて、消費電力が小さく、静かで、低コストな空気調和機用室内機を実現することができる。
【０２２３】
本願発明の第２９の手段では、空気調和機用室外機の本体ケーシング４０内の空気通路に弾性振動板を備えた往復動型のファン１を設けるとともに、該往復動型のファン１に対応して熱交換器４４を設けて構成されている。
【０２２４】
このように、弾性振動板を備えた往復動型のファン１を空気調和機用室外機の送風ユニットとして採用すると、それ自体の騒音が小さいことに加えて、往復動型のファン１の弾性振動板部分から吹き出される空気流は、回転成分を有しないほぼ直線的な流れとなる。そして、この直線的な流れの空気流は、均一な通過風速で熱交換器４４を通過するので、熱交換器４４が有効に使われる。
【０２２５】
従って、小さいサイズの熱交換器でも従来のサイズ（即ち、回転式ファンを用いた場合）の熱交換器と同等の性能を発揮できることとなり、熱交換器のコンパクト化を図ることができる。
【０２２６】
また、熱交換器を通過する過程において、加熱あるいは冷却されて温調空気となった空気流は、熱交換器の出口においてほぼ均一な風速分布で吹き出されることから、従来の回転式ファンを用いた場合のように吹出気流の最大風速を大きくする必要がなくなり、より送風音を低く抑えることが可能となる。
【０２２７】
その結果、消費電力が小さく、静かで、コンパクトかつ低コストな空気調和機用室外機を実現することができる。
【図面の簡単な説明】
【０２２８】
【図１】本願発明の第１の形態にかかる熱交換器モジュールの正面図である。
【図２】図１のＩＩ−ＩＩ断面図である。
【図３】図１のＩＩＩ−ＩＩＩ断面図である。
【図４】本願発明の第１の形態にかかる熱交換器モジュールにおけるプレートの拡大断面図である。
【図５】本願発明の第１の形態にかかる熱交換器モジュールにおける放熱フィンの変形例を示す拡大断面図である。
【図６】本願発明の第１の形態にかかる熱交換器モジュールの変形例を示す横断面図である。
【図７】本願発明の第２の形態にかかる熱交換器モジュールの正面図である。
【図８】本願発明の第３の形態にかかる熱交換器モジュールの正面図である。
【図９】図８のＩＸ−ＩＸ断面図である。
【図１０】本願発明の第４の形態にかかる熱交換器モジュールの横断面図である。
【図１１】本願発明の第５の形態にかかる熱交換器モジュールの横断面図であり、（イ）は下吹出状態を示し、（ロ）は上吹出状態を示す。
【図１２】本願発明の第６の形態にかかる空気調和機用室内機の縦断面図である。
【図１３】本願発明の第７の形態にかかる空気調和機用室外機の横断面図である。
【図１４】本願発明の第８の形態にかかる空気調和機用室内機の縦断面図である。
【図１５】本願発明の第９の形態にかかる空気調和機用室内機の縦断面図である。
【図１６】本願発明の第１０の形態にかかる空気調和機用室内機の斜視図である。
【図１７】図１６のＸＶＩＩ−ＸＶＩＩ拡大断面図である。
【図１８】本願発明の第１１の形態にに係る空気調和機用室内機の正面方向から見た縦断面図である。
【図１９】同室内機の右側面方向から見た縦断面図である。
【図２０】本願発明の第１２の形態にに係る空気調和機用室内機の正面方向から見た縦断面図である。
【図２１】本願発明の第１３の形態にに係る空気調和機用室内機の正面方向から見た縦断面図である。
【図２２】同室内機の右側面方向から見た縦断面図である。
【図２３】同室内機の要部の一部切欠斜視図である。
【図２４】同室内機の要部の一部切欠側面図である。
【図２５】本願発明の第１４の形態にに係る空気調和機用室内機の正面方向から見た縦断面図である。
【図２６】同室内機の右側面方向から見た縦断面図である。
【図２７】本願発明の第１５の形態にに係る空気調和機用室内機の正面方向から見た縦断面図である。
【図２８】同室内機の下面方向から見た水平断面図である。
【図２９】同室内機の右側面方向から見た縦断面図である。
【図３０】本願発明の第１６の形態にに係る空気調和機用室内機の正面方向から見た縦断面図である。
【図３１】同室内機の下面方向から見た水平断面図である。
【図３２】同室内機の右側面方向から見た縦断面図である。
【図３３】本願発明の第１７の形態にに係る空気調和機用室内機の正面方向から見た縦断面図である。
【図３４】同室内機の右側面方向から見た縦断面図である。
【図３５】本願発明の第１８の形態に係る空気調和機用室内機の正面方向から見た縦断面図である。
【図３６】本願発明の第１９の形態に係る空気調和機用室外機の正面方向から見た縦断面図である。
【図３７】同室外機の左側面方向から見た縦断面図である。
【図３８】同室外機の正面図である。
【図３９】同室外機の左側面図である。
【図４０】同室外機の上面図である。
【図４１】同室外機の背面図である。
【図４２】同室外機の右側面図である。
【図４３】従来の空気調和機用室外機を示し、（イ）はその横断面図であり、（ロ）は熱交換器の通過風速分布を示している。
【図４４】従来の空気調和機用室内機の縦断面図である。
【符号の説明】
【０２２９】
１：圧電ファン
２：圧電体
３：ブレード
４：熱交換器
６：プレート
７：冷媒通路
８：放熱フィン
９：冷媒通路
１０：放熱フィン
２９：輻射パネル
３０：固定部材
３１：電源端子部
３２：本体ケーシング
３２ａ：空気吸込用開口
３２ｂ：空気吹出用開口
３３ａ：壁
３３ｂ：天井
３４，４４：空気熱交換器
３５：仕切板
３５ｃ：ブレード嵌合口
４０：室外機本体ケーシング
４０ａ：正面
４０ｂ：左側面
４０ｃ：上面
４０ｄ：背面
４０ｅ：右側面
４０ｆ：底面
ａ，ｂ：空気吸込口
ｃ：空気吹出口
Ｓ：隙間
Ｗ：吹出空気
Ｗ′：温調空気
Ｚ，Ｚ′：熱交換器モジュール
【図１】
2005024229.tif 000003
【図２】
2005024229.tif 000004
【図３】
2005024229.tif 000005
【図４】
2005024229.tif 000006
【図５】
2005024229.tif 000007
【図６】
2005024229.tif 000008
【図７】
2005024229.tif 000009
【図８】
2005024229.tif 000010
【図９】
2005024229.tif 000011
【図１０】
2005024229.tif 000012
【図１１】
2005024229.tif 000013
【図１２】
2005024229.tif 000014
【図１３】
2005024229.tif 000015
【図１４】
2005024229.tif 000016
【図１５】
2005024229.tif 000017
【図１６】
2005024229.tif 000018
【図１７】
2005024229.tif 000019
【図１８】
2005024229.tif 000020
【図１９】
2005024229.tif 000021
【図２０】
2005024229.tif 000022
【図２１】
2005024229.tif 000023
【図２２】
2005024229.tif 000024
【図２３】
2005024229.tif 000025
【図２４】
2005024229.tif 000026
【図２５】
2005024229.tif 000027
【図２６】
2005024229.tif 000028
【図２７】
2005024229.tif 000029
【図２８】
2005024229.tif 000030
【図２９】
2005024229.tif 000031
【図３０】
2005024229.tif 000032
【図３１】
2005024229.tif 000033
【図３２】
2005024229.tif 000034
【図３３】
2005024229.tif 000035
【図３４】
2005024229.tif 000036
【図３５】
2005024229.tif 000037
【図３６】
2005024229.tif 000038
【図３７】
2005024229.tif 000039
【図３８】
2005024229.tif 000040
【図３９】
2005024229.tif 000041
【図４０】
2005024229.tif 000042
【図４１】
2005024229.tif 000043
【図４２】
2005024229.tif 000044
【図４３】
2005024229.tif 000045
【図４４】
2005024229.tif 000046